(57)【要約】      （修正有）【課題】透光領域の大きさを可変とする目視検査用のライトボックスを提供する。【解決手段】目視検査用のライトボックス１ａは、キャリアプレート１１、光源１２、遮蔽素子１３、及び、コントローラー１４を含む。キャリアプレートは透光で、サンプル３を載せる。光源は、キャリアプレートのもう一側に設置され、光を提供する。遮蔽素子は、キャリアプレートと光源との間に設置され、光の一部を遮蔽し、透光の目視検査領域を定義する。目視検査領域の大きさは、サンプルの大きさと同じ、又はサンプルの大きさより小さい。コントローラーは、遮蔽素子に電気的に接続されて、遮蔽素子を駆動し、目視検査領域の大きさを制御する。上述のライトボックスは、サンプル以外の領域の光を遮蔽することができ、ライトボックスからの強い光が、ユーザーの目を傷つけることがない。【選択図】図１
0003168750.tif 000002
【実用新案登録請求の範囲】
【請求項１】
目視検査用のライトボックスであって、
第一表面、およびサンプルを載せる第二表面を有し、光を透過するキャリアプレートと、
前記キャリアプレートの前記第一表面側に設置され、光を提供する光源と、 
前記キャリアプレートと前記光源との間に配置され、前記光の一部分を遮蔽して、光を透過する目視検査領域を定義する遮蔽素子と、
前記遮蔽素子に電気的に接続され、前記遮蔽素子を駆動し、前記目視検査領域の大きさを、前記サンプルの大きさと等しい、又は前記サンプルの大きさより小さくなるように制御するコントローラーと
を含むことを特徴とする目視検査用のライトボックス。
【請求項２】
前記遮蔽素子は、液晶パネルを含むことを特徴とする請求項１に記載の目視検査用のライトボックス。
【請求項３】
前記キャリアプレートは、前記遮蔽素子と整合されることを特徴とする請求項１又は２に記載の目視検査用のライトボックス。
【請求項４】
更に、
前記コントローラーに接続され、前記サンプルの位置と大きさを検出して、対応する検出信号を出力する検出器を含み、前記コントローラーが、前記検出信号に基づいて、前記目視検査領域の大きさを制御することを特徴とする請求項１から３何れかの一項に記載の目視検査用のライトボックス。
【請求項５】
前記検出器は、イメージ捕捉素子、赤外線センサー、又は、超音波センサーを含むことを特徴とする請求項４に記載の目視検査用のライトボックス。
【請求項６】
更に、
前記コントローラーに電気的に接続され、ユーザーに、前記サンプルの位置に対応する位置信号を入力させることができるユーザーインターフェースを含み、前記コントローラーは、前記位置信号に従って、前記目視検査領域の大きさを制御することを特徴とする請求項１から５何れかの一項に記載の目視検査用のライトボックス。
【請求項７】
前記ユーザーインターフェースは、タッチパネルを含むことを特徴とする請求項６に記載の目視検査用のライトボックス。
【請求項８】
更に、
前記キャリアプレートの前記第二表面側上に設置され、前記サンプルのイメージを捕捉するイメージ捕捉装置を含むことを特徴とする請求項１から７何れかの一項に記載の目視検査用のライトボックス。
【請求項９】
前記イメージ捕捉装置は、電荷結合素子（Charge Coupled Device、CCD）、又は、相補型MOS（Complementary Metal Oxide Semiconductor、CMOS） センサーを含むことを特徴とする請求項８に記載の目視検査用のライトボックス。
【請求項１０】
更に、
前記イメージ捕捉装置に接続される駆動装置を含み、前記駆動装置が前記イメージ捕捉装置を駆動して、前記サンプルをスキャンすることを特徴とする請求項８又は９に記載の目視検査用のライトボックス。
【請求項１１】
更に、
前記キャリアプレートの前記第一表面と前記第二表面の少なくとも一側に設置される拡散層を含むことを特徴とする請求項１から１０何れかの一項に記載の目視検査用のライトボックス。
【請求項１２】
更に、
前記光源と前記遮蔽素子との間に設置される拡散層を含むことを特徴とする請求項１から１１何れかの一項に記載の目視検査用のライトボックス。
【請求項１３】
更に、
前記キャリアプレートの前記第二表面最外側に設置される保護層を有することを特徴とする請求項１から１２何れかの一項に記載の目視検査用のライトボックス。
【請求項１４】
前記光源は、発光ダイオード、冷陰極蛍光ランプ（cold cathode fluorescent lamp、CCFL）、白熱電球、ハロゲンランプ、ガス放電ランプ、又は、それらの組み合わせを含むことを特徴とする請求項１から１３何れかの一項に記載の目視検査用のライトボックス。
【請求項１５】
前記サンプルは、ポジフィルムかネガフィルムであることを特徴とする請求項１から１４何れかの一項に記載の目視検査用のライトボックス。
【請求項１６】
前記サンプルはレントゲン写真を含むことを特徴とする請求項１から１４何れかの一項に記載の目視検査用のライトボックス。
【考案の詳細な説明】
【技術分野】
【０００１】
本考案は、目視検査用のライトボックスに関するものであって、特に、透光領域の大きさを変化させることができる目視検査用のライトボックスに関するものである。
【背景技術】
【０００２】
過去で、例えば、レントゲン写真等のネガフィルムが検査される時、レントゲン写真をライトボックスの出光面上に設置し、ユーザーは、レントゲン写真からの光により、レントゲン写真上の情報が読める。公知のライトボックスの出光面は、レントゲン写真より大きい。これにより、レントゲン写真に被覆されない領域は、強い光を発射し、ユーザーがレントゲン写真を検査するのを妨げるだけでなく、ユーザーの目を傷つけてしまう。よって、上述の問題を克服することが強く望まれる。 
【考案の概要】
【考案が解決しようとする課題】
【０００３】
本考案は、遮蔽素子を有する目視検査用のライトボックスを提供し、遮蔽素子は、サンプルの大きさに従って、ライトボックスの透光領域を調整し、サンプル以外の領域に強い光を発射させず、サンプルの目視検査を妨げたり、ユーザーの目を傷つけたりするのを減少させることを目的とする。
【課題を解決するための手段】
【０００４】
実施例によると、目視検査用のライトボックスは、キャリアプレート、光源、遮蔽素子、及び、コントローラーを含む。キャリアプレートは透光で、第一表面と第二表面を有し、第二表面はサンプルを載せる。光源は、キャリアプレートの第一表面側に設置され、光を提供する。遮蔽素子は、キャリアプレートと光源との間に設置され、光の一部を遮蔽し、透光の目視検査領域を定義する。目視検査領域の大きさは、サンプルの大きさと等しい、又はサンプルより小さい。コントローラーは、遮蔽素子に電気的に接続され、遮蔽素子を駆動し、目視検査領域の大きさを制御する。
【考案の効果】
【０００５】
本考案の目視検査用のライトボックスは、サンプルの目視検査中、サンプル以外の領域から光が漏れることにより生じる干渉を減少させることができるだけでなく、強い光が漏れることにより、ユーザーの目を傷つけることがない。
【図面の簡単な説明】
【０００６】
【図１】本考案の実施例による目視検査用のライトボックスを示す図である。
【図２】本考案の実施例によるキャリアプレートの透光領域と、遮蔽素子の目視検査領域、及び、サンプルとの間の相対関係を示す図である。
【図３】本考案の別の実施例による目視検査用のライトボックスを示す図である。
【考案を実施するための形態】
【０００７】
図１を参照すると、本考案の実施例による目視検査用のライトボックス １aは、キャリアプレート １１、光源 １２、遮蔽素子 １３、及び、コントローラー １４を含む。キャリアプレート １１ は透光で、且つ、第一表面 １１１ と 第二表面 １１２を有する。サンプル ３は、キャリアプレート １１の第二表面 １１２上に設置され、目視検査が行われる。実施例によると、サンプル３は、ポジフィルム、又は、ネガフィルム、例えば、レントゲン写真である。光源 １２ は、キャリアプレート １１の第一表面１１１側に設置される。光源 １２は光を提供して、サンプル ３を照射する。実施例によると、光源 １２は、発光ダイオード、冷陰極蛍光ランプ (cold  cathode fluorescent lamp、 CCFL)、 白熱電球、ハロゲンランプ、ガス放電ランプ、又は、それらの組み合わせである。
【０００８】
遮蔽素子 １３ は、キャリアプレート １１と光源 １２との間に設置される。遮蔽素子 １３ は、光源１２から発射される光の一部を遮蔽して、透光の目視検査領域を定義する。コントローラー １４は、遮蔽素子 １３に電気的に接続される。コントローラー １４ は、遮蔽素子 １３を駆動して、目視検査領域の大きさを制御することができる。図２を参照すると、サンプル ３の検査時、サンプル ３は、キャリアプレート １１の透光領域 １１３上に設置される。サンプル３の大きさに基づいて、コントローラー １４ は、遮蔽素子１３の目視検査領域１３１の大きさを、サンプル３の大きさに等しい、又はサンプル３より小さくなるように制御し、サンプル３の範囲以外の透光領域 １１３から光が漏れるのを防止する。このような方法で、ユーザーは、更に強い光を使用して、不透明サンプル、例えば、工業検査用のレントゲン写真を検査することができる。実施例によると、遮蔽素子 １３ は、液晶パネルである。好ましくは、キャリアプレート １１は遮蔽素子 １３と整合される。
【０００９】
引き続き図１を参照すると、実施例による目視検査用のライトボックス １aは、コントローラー １４に電気的に接続される検出器１５を有する。検出器 １５は、サンプル３の大きさと位置を検出し、対応する検出信号を出力する。コントローラー１４は、その後、検出器 １５が出力する検出信号に基づいて、目視検査領域１３１の大きさを制御する。例えば、検出器 １５ は、イメージ捕捉素子、例えば、 電荷結合素子 (Charge Coupled Device、 CCD)、又は、相補型MOS (Complementary Metal Oxide Semiconductor、 CMOS) センサー。コントローラー １４は、イメージ捕捉素子を用いて、キャリアプレート １１の透光領域１１３の全範囲のイメージを捕捉し、イメージ処理技術により、サンプル ３の位置と大きさを判断することができる。その後、コントローラー １４ は、遮蔽素子 １３を駆動して、対応する目視検査領域 １３１を生成し、サンプル３の範囲以外の透光領域１１３から光が漏れるのを防止する。実施例によると、検出器 １５ は、赤外線センサー、又は、 超音波センサーである。コントローラー １４ は、サンプル ３が、赤外線、又は、超音波信号を遮断することにより、サンプル ３の位置と大きさを判断する。
【００１０】
本考案の別の実施例に、目視検査用のライトボックス １aは、コントローラー１４に電気的に接続されるユーザーインターフェース １６を有する。ユーザーインターフェース １６は、ユーザーに、サンプル３に対応する位置信号を入力させる。例えば、ユーザーインターフェース １６ はタッチパネルで、長方形のサンプル ３の対角線位置をタッピングすることにより、サンプル３の大きさと位置が定義される。コントローラー １４は、その後、ユーザーインターフェース １６により出力される位置信号に従って、遮蔽素子 １３により生成された目視検査領域の位置と大きさを制御する。
【００１１】
図３を参照すると、実施例による目視検査用のライトボックス １bは、キャリアプレート １１の第二表面１１２側に設置されるイメージ捕捉装置 １7を含む。イメージ捕捉装置 １7は、サンプル ３のイメージを捕捉し、ユーザーがサンプル ３のデジタルイメージを保存することができるようにする。例えば、イメージ捕捉装置 １7は、電荷結合素子 (Charge Coupled Device、CCD)、又は、相補型MOS （Complementary Metal Oxide Semiconductor、CMOS）センサーである。
【００１２】
注意すべきことは、イメージ捕捉装置 １7は線形イメージ捕捉装置で、本実施例による目視検査用のライトボックス １bは、イメージ捕捉装置 １7に接続される駆動装置１８を含むことである。駆動装置 １８は、イメージ捕捉装置 １7を駆動して、導引素子、例えば、スライドレール１８１に沿って移動させ、サンプル３の上の領域を通過させて、サンプル ３をスキャンし、サンプル ３のフルイメージを得る。例えば、駆動装置 １８ はステップモーターである。注意すべきことは、サンプル ３のスキャンが実行されない時、イメージ捕捉装置 １7は、別の位置に移動して、ユーザーがサンプル ３を検査するのに影響しないことである。
【００１３】
引き続き図３を参照すると、実施例による目視検査用のライトボックス １bは、キャリアプレート １１の第一表面 １１１と第二表面 １１２の少なくとも一つの側に設置される拡散層 １９a、 １９bを含む。拡散層 １９a、 １９bは、光源 １２から発射される光を均一にする。例えば、拡散層 １９a は、キャリアプレート １１ の出光側、例えば、第一表面 １１１又は 第二表面 １１２、又は、遮蔽層１３の上表面に取り付けられる拡散フィルムである。また、拡散層 １９bは、キャリアプレート１１の第一表面１１１に設置されるミクロ構造である。注意すべきことは、拡散層 は、光源と遮蔽素子との間に設置されてもよいことである。好ましくは、目視検査用のライトボックス １bは、キャリアプレート １１の第二表面 １１２の最外側に設置される保護層 ２０を含む。保護層 ２０ は、キャリアプレート １１の出光側に傷をつけるのを防止して、サンプル ３の検出の判断に影響しないように設置される。
【００１４】
上述を総合すると、本実施例による目視検査用のライトボックスは、遮蔽素子を設置し、サンプルの位置と大きさに基づいて、ライトボックスの透光の目視検査領域を調整して、サンプル以外の領域から強い光が発射されるのを防止する。よって、本考案の目視検査用のライトボックスは、サンプルの目視検査中、サンプル以外の領域から光が漏れることにより生じる干渉を減少させることができるだけでなく、強い光が漏れることにより、ユーザーの目を傷つける可能性を低下させる。好ましくは、本考案のライトボックスは、検出器の検出結果に従って、自動的に、透光の目視検査領域を調整することができる。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１６】
１a、１b  目視検査用のライトボックス
１１  キャリアプレート
１１１  第一表面
１１２  第二表面
１１３  透光領域
１２  光源
１３  遮蔽素子
１３１  目視検査領域
１４  コントローラー
１５  検出器
１６  ユーザーインターフェース
１7  イメージ捕捉装置
１８  駆動装置
１８１  スライドレール
１９a、１９b  拡散層
２０  保護層
３  サンプル
【図１】
0003168750.tif 000003
【図２】
0003168750.tif 000004
【図３】
0003168750.tif 000005
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
目視検査用のライトボックスであって、
第一表面、およびサンプルを載せる第二表面を有し、光を透過するキャリアプレートと、
前記キャリアプレートの前記第一表面側に設置され、光を提供する光源と、 
前記キャリアプレートと前記光源との間に配置され、前記光の一部分を遮蔽して、光を透過する目視検査領域を定義する遮蔽素子と、
前記遮蔽素子に電気的に接続され、前記遮蔽素子を駆動し、前記目視検査領域の大きさを、前記サンプルの大きさと等しい、又は前記サンプルの大きさより小さくなるように制御するコントローラーと
を含むことを特徴とする目視検査用のライトボックス。
【請求項２】
前記遮蔽素子は、液晶パネルを含むことを特徴とする請求項１に記載の目視検査用のライトボックス。
【請求項３】
更に、
前記コントローラーに接続され、前記サンプルの位置と大きさを検出して、対応する検出信号を出力する検出器を含み、前記コントローラーが、前記検出信号に基づいて、前記目視検査領域の大きさを制御することを特徴とする請求項１から２何れかの一項に記載の目視検査用のライトボックス。
【請求項４】
前記検出器は、イメージ捕捉素子、赤外線センサー、又は、超音波センサーを含むことを特徴とする請求項３に記載の目視検査用のライトボックス。
【請求項５】
更に、
前記コントローラーに電気的に接続され、ユーザーに、前記サンプルの位置に対応する位置信号を入力させることができるユーザーインターフェースを含み、前記コントローラーは、前記位置信号に従って、前記目視検査領域の大きさを制御することを特徴とする請求項１から４何れかの一項に記載の目視検査用のライトボックス。
【請求項６】
前記ユーザーインターフェースは、タッチパネルを含むことを特徴とする請求項５に記載の目視検査用のライトボックス。
【請求項７】
更に、
前記キャリアプレートの前記第二表面側上に設置され、前記サンプルのイメージを捕捉するイメージ捕捉装置を含むことを特徴とする請求項１から６何れかの一項に記載の目視検査用のライトボックス。
【請求項８】
前記イメージ捕捉装置は、電荷結合素子（Charge Coupled Device、CCD）、又は、相補型MOS（Complementary Metal Oxide Semiconductor、CMOS） センサーを含むことを特徴とする請求項７に記載の目視検査用のライトボックス。
【請求項９】
更に、
前記イメージ捕捉装置に接続される駆動装置を含み、前記駆動装置が前記イメージ捕捉装置を駆動して、前記サンプルをスキャンすることを特徴とする請求項７又は８に記載の目視検査用のライトボックス。
【請求項１０】
更に、
前記キャリアプレートの前記第一表面と前記第二表面の少なくとも一側に設置される拡散層を含むことを特徴とする請求項1から９何れかの一項に記載の目視検査用のライトボックス。
【請求項１１】
更に、
前記光源と前記遮蔽素子との間に設置される拡散層を含むことを特徴とする請求項1から１０何れかの一項に記載の目視検査用のライトボックス。
【請求項１２】
更に、
前記キャリアプレートの前記第二表面最外側に設置される保護層を有することを特徴とする請求項1から１１何れかの一項に記載の目視検査用のライトボックス。
【請求項１３】
前記光源は、発光ダイオード、冷陰極蛍光ランプ（cold cathode fluorescent lamp、CCFL）、白熱電球、ハロゲンランプ、ガス放電ランプ、又は、それらの組み合わせを含むことを特徴とする請求項1から１２何れかの一項に記載の目視検査用のライトボックス。
【請求項１４】
前記サンプルは、ポジフィルムかネガフィルムであることを特徴とする請求項1から１３何れかの一項に記載の目視検査用のライトボックス。
【請求項１５】
前記サンプルはレントゲン写真を含むことを特徴とする請求項1から１３何れかの一項に記載の目視検査用のライトボックス。